(57)【要約】
【課題】  構造及び製造の工程を簡素化させるＰＣカード挿入及び接続の機能を兼ねるＰＣカードアダプターを提供する。
【解決手段】  フレーム１１、二つの蓋板２１、内部フレーム３１、接続回路板４１及び端子接続部５１から構成される。内部フレーム３１はフレーム１１の前端縁部１４及び側縁部１６とともに比較的小さい区域３８を形成し、側縁部１６及び内部フレーム３１の側部３２はそれぞれガイド溝を有する。フレーム１１の挿入口１２は区域３８の前端に位置付けられ、二つのガイド溝は挿入口１２の両側に位置付けされ、また内部フレーム３１は区域３８に延伸して二つの端子固定板３６を形成する。接続回路板４１は若干の電子ユニット４２と、電子ユニット４２及び端子固定板３６の端子３７に電気的に接続する若干の接点４４とを有する。端子接続部５１はフレーム１１の後端に設置され、複数の接点５２により接続回路板４１に接続される。
【選択図】    図１
0003101301.tif 000002
【実用新案登録請求の範囲】
【請求項１】
前端に挿入口を有するフレームと、
フレームの最上面及び底面に装着される二つの蓋板と、
側部及び後段部を有し、フレームの前端及び側縁部に連接するようにフレーム内に設置され、フレームの前縁部及び側縁部とともに小さい区域を形成する内部フレームであって、フレームの側縁部及び内部フレームの側部はそれぞれガイド溝を有し、フレームの挿入口は小さい区域の前端に位置付けられ、二つのガイド溝は挿入口の両側に位置付けされ、内部フレームは小さい区域に延伸して少なくとも一つの端子固定板を形成し、端子固定板は複数の端子を有する内部フレームと、
接続するための制御回路を形成する複数の電子ユニット、ならびに電子ユニット及び端子に電気的に接続する複数の接点を有する接続回路板と、
フレームの後端に設置され、複数の接点により接続回路板に接続される端子接続部と、
を備えることを特徴とするＰＣカード挿入及び接続の機能を兼ねるＰＣカードアダプター。
【請求項２】
内部フレーム及びフレームは一体成形されていることを特徴とする請求項１に記載のＰＣカード挿入及び接続の機能を兼ねるＰＣカードアダプター。
【請求項３】
フレームは内部に延伸して複数の位置制限部を形成し、位置制限部の位置は内部フレームの後段部及び側部に対応し、内部フレームはフレーム内に設置される場合、位置制限部により位置が制限され、フレーム内に固定されることを特徴とする請求項１に記載のＰＣカード挿入及び接続の機能を兼ねるＰＣカードアダプター。
【請求項４】
内部フレーム及びフレームは接着剤により接合されることを特徴とする請求項１に記載のＰＣカード挿入及び接続の機能を兼ねるＰＣカードアダプター。
【考案の詳細な説明】
【技術分野】
【０００１】
本考案は、エレクトロン装置に関し、詳しく言えばＰＣカード挿入及び接続の機能を兼ねるＰＣカードアダプターに関するものである。
【背景技術】
【０００２】
一般のＰＣカードコネクターは設計、サイズ及びインターフェースの規格により、普通の場合、パーソナルコンピューターまたはほかのエレクトロン装置に直接に接続することができず、アダプター（adapter）を介して異なるインタフェースと接続することにより、異なるインターフェースまたは装置を使用可能にする効果を達成するより仕方がない。
【０００３】
図８に示すように、周知のＰＣカードコネクターをアダプターに接続する方式は、ＰＣカードコネクター８１をアダプター８６内に入れ、接着剤または挟み込みユニットにより、ＰＣカードコネクター８１をアダプター内に固定し、そしてアダプター８６内に設置される接続回路板８７を介しＰＣカードコネクター８１の端子ピンの部位と接続する。またアダプター８６によりＰＣカードコネクター８１のピンの部位を変換し、接続回路板８７上における制御回路８８により所定のインターフェースの要求に対応し、変換されたピンの部位をアダプター８６の後端に設置される端子接続部８９に接続することで、異なるインタフェースに外接することが可能である。
【０００４】
しかし、前述の周知の方式の欠点は、ＰＣカードコネクターとアダプターは独立のユニットであるため、コードにより接続する必要があり、製造の過程では、ＰＣカードコネクター、アダプターを別々に単独製造してから、電気的な接続によりピンの部位を変換する。また接着または挟み込みユニットによりＰＣカードコネクターをアダプター内に固定する必要があるため、結合を完成させるには実に四種の工程が必要であり、製造上の手間が比較的にかかり、コストダウンも不可能なことである。
【考案の開示】
【考案が解決しようとする課題】
【０００５】
本考案の主な目的は、ＰＣカードコネクターとアダプターとの結合構造を簡単化させるとともに製造の工程を簡素化させるＰＣカード挿入及び接続の機能を兼ねるＰＣカードアダプターを提供することにある。
本考案のもう一つの目的は、周知のものよりも製造のコストを低下させ、製造の工程が少ないＰＣカード挿入及び接続の機能を兼ねるＰＣカードアダプターを提供することにある。
【課題を解決するための手段】
【０００６】
上述の目的を達成するための本考案のＰＣカードアダプターは、前端に挿入口を有するフレームと、フレームの最上面及び底面に装着される二つの蓋板と、側部及び後段部を有し、フレームの前端及び側縁部に連接するようにフレーム内に設置され、フレームの前縁部及び側縁部とともに小さい区域を形成する内部フレームであって、フレームの側縁部及び内部フレームの側部はそれぞれガイド溝を有し、フレームの挿入口は小さい区域の前端に位置付けられ、二つのガイド溝は挿入口の両側に位置付けされ、内部フレームは小さい区域に延伸して少なくとも一つの端子固定板を形成し、端子固定板は複数の端子を有する内部フレームと、接続するための制御回路を形成する複数の電子ユニット、ならびに電子ユニット及び端子に電気的に接続する複数の接点を有する接続回路板と、フレームの後端に設置され、複数の接点により接続回路板に接続される端子接続部とを備える。
【考案を実施するための最良の形態】
【０００７】
以下、本考案の実施例を図面に基づいて説明する。
図１から図４に示すように、本考案の第一実施例によるＰＣカード挿入及び接続の機能を兼ねるＰＣカードアダプター１０は、主にフレーム１１、二つの蓋板２１、内部フレーム３１、接続回路板４１及び端子接続部５１から構成される。
【０００８】
フレーム１１は、前端に挿入口１２を有する。
二つの蓋板２１は、フレーム１１の最上面、底面に装着される。
内部フレーム３１は、側部３２及び後段部３４を有し、フレーム１１と一体成形するようにフレーム１１内に設置され、そしてフレーム１１の前端縁部１４及び側縁部１６とともに比較的小さい区域３８を形成し、そのうちの側縁部１６及び内部フレーム３１の側部３２はそれぞれガイド溝１７、３３を有する。フレーム１１の挿入口１２は比較的小さい区域３８の前端に位置付けられ、二つのガイド溝１７、３３は挿入口１２の両側に位置付けされ、また内部フレーム３１は比較的小さい区域３８に延伸して二つの端子固定板３６を形成し、端子固定板３６は若干の端子３７を有する。
【０００９】
接続回路板４１は、接続するための制御回路を形成する若干の電子ユニット４２と、電子ユニット４２及び端子３７に電気的に接続する若干の接点４４とを有する。
端子接続部５１は、フレーム１１の後端に設置され、複数の接点５２により接続回路板４１に接続される。
【００１０】
上述により、内部フレーム３１及びフレーム１１により取り囲まれ形成される比較的小さい区域３８により、ＰＣカードの挿入及び収納をし、そして端子３７により接続回路板４１と接続し、端子接続部５１によりピンの部位の転換を達成することで、異なるインタフェースの要求に対応可能である。そのほかには、内部フレーム３１とフレーム１１は一体成形であるためプラスチックの射出成形を行う場合、成形が一回で済むので構造の安定性を向上させ、二つの部品の組合せにより生じる誤差を減少させ、他の部品の位置決めが更に精確になることである。
【００１１】
図１、図２及び図５に示すように、本実施例を使用する場合、メモリカード９９を挿入口１２に挿入すると、メモリカード９９が側部３２のガイド溝３３及び側縁部１６のガイド１７に沿って比較的小さい区域３８の中に送り込まれ、端子３７がモメリカード９９上の接点（図示せず）と接触するようになる。使用しない場合、メモリカード９９を直ちに抜き出せばいい。
【００１２】
図６に示すように、本考案の第二実施例によるＰＣカード挿入及び接続の機能を兼ねるＰＣカードアダプター６０は、前述の実施例とほぼ同じであるが、その違う点は、以下のとおりである。
内部フレーム６５とフレーム６１は二つの部品に分けられ、フレーム６１は内部に延伸して若干の位置制止部６３を形成し、位置制限部６３の位置は内部フレーム６５の側部６６及び後段部６８に対応し、内部フレーム６５はフレーム６１内に設置される場合、位置制限部６３により位置が制限され、フレーム６１内に固定される。これにより、比較的小さい区域６９を形成すると同時に、前述の実施例と同じ使用効果を達成する。
【００１３】
本考案の第二実施例の使用状態は前述の実施例と同じであるため、説明を省く。
図７に示すように、本考案の第三実施例によるＰＣカード挿入及び接続の機能を兼ねるＰＣカードアダプター７０は、前述の実施例とほぼ同じであるが、その違う点は、以下のとおりである。
【００１４】
内部フレーム７５とフレーム７１は二つの部品に分けられ、内部フレーム７５はややＬ型を呈し、内部フレーム７５の側部７６及び後段部７８の末端によりフレーム７１の前端縁部７２と側縁部７４に接続し、接着剤７７によりフレーム７１と内部フレーム７５とが互いに接触する位置で接着される。これにより、比較的小さい区域７９を形成すると同時に、前述の実施例と同じ使用効果を達成する。
【００１５】
本考案の第三実施例の使用状態は前述の実施例と同じであるため、説明を省く。
上述の構造により、本考案の利点は次の通りである。
(1)構造の簡単化
本考案は、フレームの側縁及び前端縁部に、内部フレームに取り囲まれ形成されるＰＣカードコネクターのようなフレームを組み合わせることにより、従来のＰＣカードコネクター及びアダプターの外部フレームを簡単化させ結合し、ＰＣカードコネクター及びアダプターの間の構造を確実に簡単化させ、製造する場合、手間が省け、スピードが速い。
【００１６】
(2)製造のコスト及び製造の工程を減少
前述の従来のものに比較してみると、本考案は、ＰＣカードコネクター及びアダプターの構造を簡単化させた後、結合し、一体成形を条件とした上で、ＰＣカードコネクター及びアダプターのフレームを一回で成形可能であるため、製造のプログラムを減少させ、更にコストダウンになり、製造にかかる時間を省くことが可能である。
【図面の簡単な説明】
【００１７】
【図１】本考案の第一実施例によるＰＣカードアダプターを示す分解立体図である。
【図２】本考案の第一実施例によるＰＣカードアダプターを示す分解立体図である。
【図３】本考案の第一実施例によるＰＣカードアダプターにおいて上蓋板を外した状態を示す模式図である。
【図４】本考案の第一実施例によるＰＣカードアダプターを示す局部拡大図である。
【図５】本考案の第一実施例によるＰＣカードアダプターの使用状態を示す模式図である。
【図６】本考案の第二実施例によるＰＣカードアダプターの局部ユニットを示す平面図である。
【図７】本考案の第三実施例によるＰＣカードアダプターを示す分解立体図である。
【図８】周知のアダプターとＰＣカードコネクターの組合せを示す模式図である。
【符号の説明】
【００１８】
１０  ＰＣカードアダプター、１１  フレーム、１２  挿入口、１４  前端縁部、１６  側縁部、１７  ガイド溝、２１  蓋板、３１  内部フレーム、３２  側部、３３  ガイド溝、３４  後段部、３６  端子固定板、３７  端子、３８  比較的小さい区域、４１  接続回路板、４２  電子ユニット、４４  接点、５１  端子接続部、５２  接点、６０  ＰＣカードアダプター、６１  フレーム、６３  位置制限部、６５  内部フレーム、６６  側部、６８  後段部、６９  比較的小さい区域、７０  ＰＣカードアダプター、７１  フレーム、７２  前端縁部、７４  側縁部、７５  内部フレーム、７６  側部、７７  接着剤、７８  後段部、７９  比較的小さい区域、９９  メモリカード
【図１】
0003101301.tif 000003
【図２】
0003101301.tif 000004
【図３】
0003101301.tif 000005
【図４】
0003101301.tif 000006
【図５】
0003101301.tif 000007
【図６】
0003101301.tif 000008
【図７】
0003101301.tif 000009
【図８】
0003101301.tif 000010